(57)【要約】【課題】  カラオケ演奏を行う際に、後奏区間の演奏を行わずに当該カラオケ楽曲の演奏を終了させ、単位時間内に歌唱できる楽曲数を増加させる。【解決手段】  カラオケ楽曲毎に少なくとも演奏制御データ及び歌詞描出データを含む楽曲データを格納した楽曲データベース２４ａと、楽曲データベース２４ａに含まれる歌詞描出データを、当該カラオケ楽曲の演奏データに同期させて表示装置１５に出力して、その表示及び消去制御を行う映像再生制御手段２８と、任意のカラオケ楽曲を演奏する際に、映像再生制御手段２８において表示すべき歌詞描出データが残存せず、かつ現在表示されている歌詞文字の消去制御処理が終了した場合に、当該カラオケ楽曲の演奏を終了させる演奏終了手段２９とを備える。【選択図】図１
2014010373.tif 000002
【特許請求の範囲】
【請求項１】
カラオケ楽曲を演奏する際に、後奏区間の演奏を行わずに当該カラオケ楽曲の演奏を終了させることが可能なシステムであって、楽曲データベースと、映像再生制御手段と、演奏終了手段と、を備え、
前記楽曲データベースは、カラオケ楽曲毎に少なくとも演奏制御データ及び歌詞描出データを含む楽曲データを格納し、
前記映像再生制御手段は、前記楽曲データベースに含まれる歌詞描出データを、当該カラオケ楽曲の演奏データに同期させて表示装置に出力して、その表示及び消去制御を行い、
前記演奏終了手段は、任意のカラオケ楽曲を演奏する際に、前記映像再生制御手段において表示すべき前記歌詞描出データが残存せず、かつ現在表示されている歌詞文字の消去制御処理が終了した場合に、当該カラオケ楽曲の演奏を終了させる、
ことを特徴とするカラオケ楽曲の後奏区間における演奏終了システム。
【発明の詳細な説明】
【技術分野】
【０００１】
本発明は、カラオケ楽曲の後奏区間における演奏終了システムに関するものであり、詳しくは、カラオケ楽曲を最後まで演奏するのではなく、すべての歌唱区間が終了した時点で、後奏区間を演奏することなく、当該カラオケ楽曲の演奏を終了させることができるようにしたシステムに関するものである。
【背景技術】
【０００２】
カラオケシステムで演奏されるカラオケ楽曲は、全体として前奏区間、歌唱区間、間奏区間、後奏区間からなり、２コーラスフェードアウト（楽曲の１番、２番を演奏した時点でフェードアウトするモード）を指定した場合や、演奏中止ボタンを操作した場合等を除いて、楽曲全体が演奏されるようになっている。
【０００３】
このようなカラオケシステムとして、カラオケ楽曲の演奏を中止させる際に、故意や過失による操作を排除して、歌唱者の意思に反することなく演奏を中止させるようにした技術が開示されている（特許文献１参照）。
【０００４】
この特許文献１に記載された技術は、複数のマイクロホンにそれぞれ付帯された演奏中止指示手段からの演奏中止指示に基づいて、任意のカラオケ楽曲の演奏を中止させる演奏終了手段と、各マイクロホンからの音声入力の有無を判定するためのマイク別音声入力判定手段と、当該カラオケ楽曲の演奏中に、音声が入力されていると判定されたマイクロホンについて、その演奏中止指示手段からの演奏中止指示を有効化させるための演奏中止機能制御手段とを備えた構成となっている。
【先行技術文献】
【特許文献】
【０００５】
【特許文献１】特開２０１０−２３７３８７号公報
【発明の概要】
【発明が解決しようとする課題】
【０００６】
ところで、カラオケ利用者の中には、限られた利用時間内により多くのカラオケ歌唱を楽しみたいという要望があり、このような要望は、特に一人でカラオケ歌唱を行う場合に顕著である。すなわち、カラオケルームでは時間単位の料金設定が行われている場合が多く、歌唱を行わない後奏区間の演奏終了を待って、次曲の演奏を開始したのでは、単位時間内に歌唱できる楽曲数が少なくなってしまう。そこで、単位時間内により多くのカラオケ歌唱を行いたい場合には、すべての歌唱区間が終了した時点で演奏中止ボタンを操作し、次曲の演奏を開始させなければならず、利用者にとって面倒な操作が必要であった。
【０００７】
また、２コーラスフェードアウトを指定した場合には、単位時間内に歌唱できる楽曲数は増加するものの、すべての歌唱区間について歌唱を行うことができないため、利用者の歌唱に対する欲求を満足させることができない場合もあった。
【０００８】
本発明は、上述した事情に鑑み提案されたもので、カラオケ演奏を行う際に、後奏区間の演奏を行わずに当該カラオケ楽曲の演奏を終了させ、単位時間内に歌唱できる楽曲数を増加させることが可能なカラオケ楽曲の後奏区間における演奏終了システムを提供することを目的とする。
【課題を解決するための手段】
【０００９】
本発明のカラオケ楽曲の後奏区間における演奏終了システムは、上述した目的を達成するため、以下の特徴点を有している。すなわち、本発明のカラオケ楽曲の後奏区間における演奏終了システムは、後奏区間の演奏を行わずに当該カラオケ楽曲の演奏を終了させることが可能なシステムであって、楽曲データベースと、映像再生制御手段と、演奏終了手段とを備えたことを特徴とするものである。
【００１０】
楽曲データベースは、カラオケ楽曲毎に少なくとも演奏制御データ及び歌詞描出データを含む楽曲データを格納したデータベースである。映像再生制御手段は、楽曲データベースに含まれる歌詞描出データ（歌詞文字の描出データ）を、当該カラオケ楽曲の演奏データに同期させて表示装置に出力して、その表示及び消去制御を行うための手段である。演奏終了手段は、任意のカラオケ楽曲を演奏する際に、映像再生制御手段において表示すべき歌詞描出データが残存せず、かつ現在表示されている歌詞文字の消去制御処理が終了した場合に、当該カラオケ楽曲の演奏を終了させるための手段である。
【００１１】
このような構成からなるカラオケ楽曲の後奏区間における演奏終了システムでは、任意のカラオケ楽曲を演奏する際に、映像再生制御手段の機能により、背景映像データと、楽曲データベースに含まれる歌詞描出データ（歌詞テロップデータ）とを、当該カラオケ楽曲の演奏データに同期させて表示装置に出力する。これにより、歌唱者は、カラオケ楽曲の演奏と共に、背景映像及び歌詞テロップを視聴することができる。
【００１２】
そして、演奏終了手段の機能により、映像再生制御手段において表示すべき歌詞描出データが残存せず、かつ現在表示されている歌詞文字の消去制御処理が終了すると、後奏区間の演奏を行わずに当該カラオケ楽曲の演奏を自動的に終了させる。
【発明の効果】
【００１３】
本発明のカラオケ楽曲の後奏区間における演奏終了システムによれば、任意のカラオケ楽曲の演奏に際して、歌詞描出データの表示及び消去制御が終了すると、当該カラオケ楽曲の演奏を終了させることができる。すなわち、歌詞描出データの表示及び消去制御が終了したということは、すべての歌唱区間の演奏が終了したということであり、この時点でカラオケ楽曲の演奏を終了させることにより、利用者が演奏中止ボタンを操作する等の面倒な操作を行うことなく、後奏区間において当該カラオケ楽曲の演奏を終了させることができる。これにより、後奏区間の演奏終了を待つことなく、次曲の演奏を開始させることができるので、単位時間内に歌唱（演奏）できる楽曲数を増加させることが可能となる。
【００１４】
また、本発明のカラオケ楽曲の後奏区間における演奏終了システムは、歌詞描出データの出力及び消去制御の終了に基づいて後奏区間において演奏を終了させているので、全歌唱区間終了データや後奏区間開始データ等、後奏区間を識別するための特別なデータを有していないカラオケ楽曲データに対しても、そのまま適用することができる。
【図面の簡単な説明】
【００１５】
【図１】本発明のカラオケ楽曲の後奏区間における演奏終了システムを適用したカラオケ演奏装置の構成を示すブロック図。
【図２】本発明のカラオケ楽曲の後奏区間における演奏終了システムにおいて、演奏を終了させる手順を示すフローチャート。
【発明を実施するための形態】
【００１６】
以下、図面を参照して、本発明のカラオケ楽曲の後奏区間における演奏終了システム（以下、後奏区間における演奏終了システムと略記する）の実施形態について説明する。図１及び図２は本発明の後奏区間における実施形態に係る演奏終了システムを示すもので、図１は後奏区間における演奏終了システムを適用したカラオケ演奏装置の構成を示すブロック図、図２は演奏を終了させる手順を示すフローチャートである。
【００１７】
＜後奏区間における演奏終了システムの概要＞
本発明の実施形態に係る後奏区間における演奏終了システムは、カラオケ楽曲を演奏する際に、後奏区間の演奏を行わずに当該カラオケ楽曲の演奏を終了させることができるようにしたシステムであって、カラオケ演奏装置１０に組み込まれて使用される。この後奏区間における演奏終了システムは、図１に示すように、楽曲データベース２４ａ、映像再生制御手段２８と、演奏終了手段２９により構成される。なお、以下に説明する実施形態において、各手段は、カラオケ本体１１またはカラオケリモコン装置１２の機能手段として構成されている。
【００１８】
また、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００１９】
＜カラオケ演奏装置＞
本発明の実施形態に係る後奏区間における演奏終了システムを適用するカラオケ演奏装置１０は、図１に示すように、カラオケ本体１１、カラオケリモコン装置１２、スピーカ１３、マイクロホン１４、表示装置１５、ミキシングアンプ１６を備えている。
【００２０】
＜カラオケリモコン装置＞
カラオケリモコン装置１２は、図１に示すように、カラオケ本体１１の送受信手段２５との間で有線方式又は無線方式によりデータの送受信を行うようになっている。このカラオケリモコン装置１２は、楽曲検索手段１２ａとして機能するプログラム、楽曲索引データベース１２ｂ、ユーザインタフェース機能を有する入出力表示部１２ｃ、演奏終了モード移行指示手段１２ｄとして機能するプログラム、カラオケ本体１１との間でデータの送受信を行うためのプログラム及び電子機器（図示せず）を備えている。このカラオケリモコン装置１２に付帯するスイッチ類や、入出力表示部１２ｃに表示される各種のアイコン等を操作することにより、選曲操作、後奏区間における演奏終了モードの設定等が行われる。
【００２１】
＜楽曲検索手段／楽曲索引データベース＞
楽曲検索手段１２ａは、利用者の指示に基づき、楽曲索引データベース１２ｂを参照して楽曲を検索するためのプログラムからなる。楽曲索引データベース１２ｂは、カラオケ演奏装置１０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲など、種々の属性情報がこれに含まれている。楽曲検索手段１２ａにより楽曲検索を行うと、例えば、カラオケリモコン装置１２の入出力表示部１２ｃに、検索結果が一覧表示される。
【００２２】
＜入出力表示部＞
入出力表示部１２ｃは、例えば、タッチセンサを備えた液晶表示装置を備えており、表示画面に種々のアイコン表示等が行われ、アイコン表示等をタッチペンによりタッチすることにより、楽曲の検索、選曲予約、音程キーの変更、演奏終了モードへの移行指示等、種々の操作を行うことができる。
【００２３】
＜演奏終了モード移行指示手段＞
演奏終了モード移行指示手段１２ｄは、利用者の指示に応じて後奏区間における演奏終了を指示するためのプログラムからなる。この演奏終了モード移行指示手段１２ｄは、利用者が入出力表示部１２ｃに表示される演奏終了モード移行指示ボタン等のアイコンを操作すると、演奏終了モード移行信号をカラオケ本体１１に送信する。そして、カラオケ本体１１では、演奏終了手段２９の機能により、後奏区間の演奏を行わずにカラオケ楽曲の演奏を終了させる。なお、演奏終了モード移行指示手段１２ｄは、カラオケリモコン装置１２ではなくカラオケ本体１１に設けてもよいし、カラオケリモコン装置１２及びカラオケ本体１１の双方に設けてもよい。
【００２４】
＜マイクロホン＞
マイクロホン１４は、歌唱音声の入力を行うための装置である。マイクロホン１４から入力された歌唱音声信号は、ミキシングアンプ１６により、音楽再生制御手段から送出される演奏音声信号とミキシングされると共に増幅され、スピーカ１３へ出力される。また、マイクロホン１４からの音声入力信号を、Ａ／Ｄコンバータ（図示せず）によりデジタル変換して歌唱採点等に使用してもよい。
【００２５】
＜表示装置＞
表示装置１５は、カラオケ楽曲に関連した背景映像や歌詞テロップ等を表示するための装置で、例えば、液晶ディスプレイ等により構成される。本実施形態では、表示装置１５の表示画面に、背景映像及びこれにスーパーインポーズされた歌詞文字（歌詞テロップ）が表示される。
【００２６】
＜カラオケ本体＞
カラオケ本体１１は、中央制御手段２１、ＲＯＭ２２、ＲＡＭ２３、ＨＤＤ２４、送受信手段２５、予約管理手段２６、音楽再生制御手段２７、映像再生制御手段２８、演奏終了手段２９を備えている。
【００２７】
＜中央制御手段＞
中央制御手段２１は、カラオケ本体１１を総合的に制御するための手段であり、例えばＣＰＵ及びその周辺機器により構成されており、ＣＰＵ等がＲＯＭ２２等に記憶されたプログラムに従って動作することにより、制御機能を発揮することができるようになっている。
【００２８】
＜ＲＯＭ／ＲＡＭ＞
ＲＯＭ２２は、カラオケ本体１１を構成する各機器を制御するためのプログラムデータや数値データを記憶するための機器で、例えば半導体メモリ等で構成される。また、ＲＡＭ２３は、プログラムや各種データを一時的に記憶する一時記憶領域として機能するもので、例えば半導体メモリ等で構成される。なお、物理的な半導体メモリによりＲＡＭ２３を構成するのではなく、ハードディスク記憶装置等を用いて仮想的なＲＡＭ２３を構成してもよい。本実施形態では、ＲＡＭ２３に、予約待ち行列２３ａが記憶されるようになっている。なお、予約待ち行列２３ａは、選曲予約されたカラオケ楽曲について、演奏順に楽曲ＩＤを並べて構成されたデータテーブルであり、選曲者の利用者ＩＤ等の識別データが紐付けられている場合もある。
【００２９】
＜ＨＤＤ＞
ＨＤＤ２４は、大容量記憶装置として機能する装置であり、楽曲データベース２４ａ、映像データベース２４ｂが格納されている。なお、ＨＤＤ２４に替えて、あるいはＨＤＤ２４と共に、データを書き替え可能なＤＶＤ等の大容量記憶装置を用いてもよい。
【００３０】
＜楽曲データベース／映像データベース＞
楽曲データベース２４ａは、演奏制御データ（ＭＩＤＩ規格データ）及び歌詞描出データが同期されて構成される楽曲データについて、楽曲ＩＤと対応付けてそれぞれ構成したデータベースである。演奏制御データは、各楽曲の演奏を制御するためのデジタルデータであり、歌詞描出データは演奏に同期した歌詞文字の表示タイミングデータ及び色変わりデータを含んでいる。映像データベース２４ｂは、演奏されるカラオケ楽曲に対応した背景映像を、当該カラオケ楽曲の楽曲ＩＤに対応させた映像ファイルとして所定数格納したデータベースである。
【００３１】
＜送受信手段＞
送受信手段２５は、カラオケ本体１１とカラオケリモコン装置１２との間で、データの送受信を行うための電子回路及びプログラムからなる。本実施形態では、赤外線通信により、カラオケ本体１１とカラオケリモコン装置１２との間でデータの送受信が行われる。
【００３２】
＜予約管理手段＞
予約管理手段２６は、利用者により楽曲検索手段１２ａの機能を用いて選曲された楽曲ＩＤを演奏順に並べて予約待ち行列２３ａを生成し、この予約待ち行列２３ａをＲＡＭ２３に格納して管理するためのプログラムからなる。
【００３３】
＜音楽再生制御手段＞
音楽再生制御手段２７は、楽曲ＩＤに基づいて楽曲データベース２４ａから抽出された演奏制御データに基づいて、音源データをデジタル再生すると共にアナログ変換してミキシングアンプ１６に出力するための電子回路である。上述したように、ミキシングアンプ１６は、マイクロホン１４から入力された歌唱者の歌唱音声信号と、音楽再生制御手段２７から送出される演奏音声信号とをミキシングすると共に、アンプ機能により増幅してスピーカ１３より出力させるための装置である。
【００３４】
＜映像再生制御手段＞
映像再生制御手段２８は、カラオケ楽曲の演奏中に、映像データベース２４ｂから抽出した背景映像データと、楽曲データベース２４ａに含まれる歌詞描出データ（歌詞テロップデータ）とを、当該カラオケ楽曲の演奏データに同期させて表示装置１５に出力して、その表示及び消去制御を行うためのプログラムからなる。
【００３５】
＜演奏終了手段＞
演奏終了手段２９は、任意のカラオケ楽曲を演奏する際に、映像再生制御手段２８において表示すべき歌詞描出データが残存せず、かつ現在表示されている歌詞文字の消去制御処理が終了した場合に、当該カラオケ楽曲の演奏を終了させるためのプログラムからなる。すなわち、映像再生制御手段２８における歌詞描出データの表示及び消去制御が終了したということは、すべての歌唱区間の演奏が終了したということなので、この時点でカラオケ楽曲の演奏を終了させることにより、後奏区間の演奏を行わずに当該カラオケ楽曲の演奏を終了させることができる。なお、カラオケ楽曲の演奏を終了させる場合には、利用者に違和感を与えないために、フェードアウトを行うことが好ましい。
【００３６】
具体的には、映像再生制御手段２８は、楽曲データベース２４ａに含まれる歌詞描出データを読み出して表示装置１５に出力するが、この際、例えば図１に示すように、歌詞描出データ２３ｂはバッファメモリ（ＲＡＭ２３）に一時的に記憶される。そこで、演奏終了手段２９の機能により、バッファメモリ（ＲＡＭ２３）のデータ記憶状態を監視して、バッファメモリ（ＲＡＭ２３）内に歌詞描出データ２３ｂが無くなったことを検知し、かつ現在表示されている歌詞文字の消去制御処理が終了した場合に当該カラオケ楽曲の演奏を終了させる。
【００３７】
＜演奏終了処理＞
上述したように、本発明のカラオケ楽曲の後奏区間における演奏終了システムでは、図２に示すように、カラオケ楽曲の演奏が開始すると（Ｓ１）、演奏終了手段２９の機能により、表示すべき歌詞描出データが残っているか（Ｓ２）、現在表示されている歌詞文字の消去制御処理が終了したか（Ｓ３）を判断する。そして、表示すべき歌詞描出データが残っておらず、かつ当現在表示されている歌詞文字の消去制御処理が終了した場合に、当該カラオケ楽曲の演奏を終了させる（Ｓ４）。
【００３８】
＜他の実施形態＞
本発明の後奏区間における演奏終了システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏装置１０を単体で動作させるのではなく、ホスト装置にネットワーク接続したカラオケ演奏装置１０として動作させてもよい。
【符号の説明】
【００３９】
１０  カラオケ演奏装置
１１  カラオケ本体
１２  カラオケリモコン装置
１２ａ  楽曲検索手段
１２ｂ  楽曲索引データベース
１２ｃ  入出力表示部
１２ｄ  演奏終了モード移行指示手段
１３  スピーカ
１４  マイクロホン
１５  表示装置
１６  ミキシングアンプ
２１  中央制御手段
２２  ＲＯＭ
２３  ＲＡＭ
２３ａ  予約待ち行列
２３ｂ  歌詞描出データ
２４  ＨＤＤ
２４ａ  楽曲データベース
２４ｂ  映像データベース
２５  送受信手段
２６  予約管理手段
２７  音楽再生制御手段
２８  映像再生制御手段
２９  演奏終了手段
【図１】
2014010373.tif 000003
【図２】
2014010373.tif 000004